(57)【特許請求の範囲】
【請求項１】
少なくともマトリクス状に配列された複数の画素からなり、前記複数の画素の配列に対応して２つの座標軸により表される、表示画面上に予め設定されている１つまたは複数の初期表示位置に画像情報を表示する表示手段と、
前記初期表示位置の座標情報と、表示位置を画素単位でずらす際に用いられる差分座標情報に基づいて、１つまたは複数の前記初期表示位置に対応して、前記表示手段により前記画像情報が表示される１つまたは複数の次の表示位置の座標を算出する表示位置座標算出手段と、
前記表示位置座標算出手段により算出された１つまたは複数の次の表示位置の座標に基づいて、前記画像情報を、１つまたは複数の次の表示位置のいずれか１つに表示するように制御する表示制御手段とを備えることを特徴とする情報処理装置。
【請求項２】
前記表示位置座標算出手段により算出された１つまたは複数の次の表示位置の座標に基づいて画素単位でずらされる１つまたは複数の次の表示位置の中からいずれか１つの選択を受け付ける選択受付手段をさらに備え、
前記表示制御手段は、前記選択受付手段により選択が受け付けられた１つまたは複数の次の表示位置のいずれか１つに、前記画像情報を表示するように制御することを特徴とする請求項１に記載の情報処理装置。
【請求項３】
前記選択受付手段は、前記画像情報の表示位置を他の表示位置に変更するための変更画面上に画素単位でずらして表示される１つまたは複数の次の表示位置の中からいずれか１つの選択を受け付けることを特徴とする請求項２に記載の情報処理装置。
【請求項４】
前記表示位置座標算出手段は、前記画像情報の表示位置を他の表示位置に変更する場合、または、前記画像情報の表示位置の更新後に予め設定された所定の時間が経過した場合、前記表示手段により前記画像情報が表示される１つまたは複数の次の表示位置の座標を算出することを特徴とする請求項１に記載の情報処理装置。
【請求項５】
前記差分座標情報は予め記憶されており、
前記表示制御手段により前記画像情報の表示が制御された後、前記差分座標情報に含まれる座標に関する情報は新たな座標に関する情報に更新されることを特徴とする請求項１に記載の情報処理装置。
【発明の詳細な説明】
【技術分野】
【０００１】
本発明は情報処理装置に係り、特に、ディスプレイとして有機ＥＬを用いた情報処理装置に関する。
【背景技術】
【０００２】
近年、情報処理装置としての携帯電話機には、単なる通話による通信機能だけでなく、アドレス帳機能、基地局やインターネットなどのネットワークを介したメール機能や、Ｗｅｂページなどを閲覧することが可能なブラウザ機能だけでなく、オーディオデータを聞くことができる音楽制御機能や、地上波ディジタルワンセグ放送波を受信することができる機能などが搭載されるようになってきている。また、地上波ディジタルワンセグ放送波に基づく受信画像やその他の手段により取得された種々の映像コンテンツを携帯電話機上にて再生することが可能となってきている。
【０００３】
それに伴い、ユーザの間では、映像コンテンツをよりきれいに再生したいというニーズが高まってきている。そこで、このニーズに答えるべく、最近の携帯電話機においては、今まで主流であったＴＦＴ（Thin Film Transistor）液晶ディスプレイではなく、有機ＥＬなどに代表される高輝度デバイスをディスプレイとして用いたものが提案されている。例えば有機ＥＬ（Electronic Luminescent）は、電圧をかけると発光する有機物質を利用して表示するディスプレイである。この有機ＥＬでは、例えばジアミン類などの有機体をガラス面に蒸着させ、それ自体が発光する。そのため、ディスプレイの厚みを従来よりも薄くすることが可能となる。
【０００４】
有機ＥＬを用いたディスプレイでは、高輝度で鮮やかな画面表示が得られる半面、有機ＥＬの発光層自体が自ら発光するという構造上、発光に伴う発熱によって有機ＥＬ素子を構成する有機物質の劣化が生じる。この有機物質の劣化により、各有機ＥＬ素子における発光輝度が低下したり、発光が不安定になるなどの問題が生じる。また、有機ＥＬ素子を長時間駆動して、画面内の同一位置に同じ画像を表示し続けると、画面に焼き付けが生じてしまう。
【０００５】
画面が焼き付くと、携帯電話機も製品として使用することが困難となるため、画面に焼き付が生じないように有機ＥＬなどのデバイスを改良したり、ソフトウェア制御によって画面に焼き付きが生じないようにする必要がある。
【０００６】
そこで、表示装置の表示エリアを複数に分割し、時間情報に応じて、画像情報の表示を行う表示エリアを変更する技術が知られている（例えば特許文献１参照）。特許文献１に提案されている技術によれば、消費電流を抑制しつつ、表示装置の焼き付きを防止することができる。
【特許文献１】特開２００３−２２３１６０号公報
【発明の開示】
【発明が解決しようとする課題】
【０００７】
しかしながら、特許文献１に提案されている技術では、画像情報を表示する表示エリアを、時間情報に応じて、予め設定された複数の表示エリアの中からいずれか１つの表示エリアに変更することはできるが、そもそも予め設定された表示エリアにしか画像情報の表示エリアを移動させることしかできない。勿論、特許文献１に提案されている技術では、予め設定された複数の表示エリア自体をユーザの好みに応じて適宜画素単位で変更することも考えられるが、画面に焼き付きができないようにユーザが適宜表示エリアの画素単位での変更を行うことは多くの手間がかかってしまい、ユーザビリティ上好ましいことではない。また、予め設定された所定の時間ごとに、時間情報に応じて画像情報の表示エリアを変更するようにすると、消費電力が増加してしまう。
【０００８】
本発明は、このような状況に鑑みてなされたものであり、ディスプレイにおける焼き付きの発生を好適に防止することができる情報処理装置を提供することを目的とする。
【課題を解決するための手段】
【００１０】
本発明の情報処理装置は、上述した課題を解決するために、少なくともマトリクス状に配列された複数の画素からなり、複数の画素の配列に対応して２つの座標軸により表される、表示画面上に予め設定されている１つまたは複数の初期表示位置に画像情報を表示する表示手段と、初期表示位置の座標情報と、表示位置を画素単位でずらす際に用いられる差分座標情報に基づいて、１つまたは複数の初期表示位置に対応して、表示手段により画像情報が表示される１つまたは複数の次の表示位置の座標を算出する表示位置座標算出手段と、表示位置座標算出手段により算出された１つまたは複数の次の表示位置の座標に基づいて、画像情報を、１つまたは複数の次の表示位置のいずれか１つに表示するように制御する表示制御手段とを備えることを特徴とする。
【発明の効果】
【００１１】
本発明によれば、ディスプレイにおける焼き付きの発生を好適に防止することができる。
【発明を実施するための最良の形態】
【００１２】
以下、本発明の実施の形態について、図面を参照しながら説明する。
【００１３】
図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１４】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１５】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１６】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１７】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１８】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１９】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００２０】
なお、第１の筐体１２は、背面側に図示しないバッテリパックが挿着されており、終話・電源キーがオン状態になると、バッテリパックから各回路部に対して電力が供給されて動作可能な状態に起動する。
【００２１】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図示せず）も設けられている。
【００２２】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイである。
【００２３】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２４】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。なお、サブディスプレイ２１も、メインディスプレイ１７と同様に、有機ＥＬにより構成されるディスプレイである。
【００２５】
図３は、本発明に係る情報処理装置に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２６】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２７】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２８】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２９】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００３０】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３１】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３２】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３３】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３４】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。また、地上波ディジタルワンセグ受信部４８は、図示せぬ放送局からの地上波ディジタルワンセグ放送波を受信する。
【００３５】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３６】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３７】
電源回路４４は、バッテリ４３の出力を基に所定の動作電源電圧Ｖｃｃを生成して各回路部に供給する。
【００３８】
ところで、特許文献１に提案されている技術では、画像情報を表示する表示エリアを、時間情報に応じて、予め設定された複数の表示エリアの中からいずれか１つの表示エリアに変更することはできるが、そもそも予め設定された表示エリアにしか画像情報の表示エリアを移動させることしかできない。勿論、特許文献１に提案されている技術では、予め設定された複数の表示エリア自体をユーザの好みに応じて適宜画素単位で変更することもできるが、画面に焼き付きができないようにユーザが適宜表示エリアの画素単位での変更を行うことは多くの手間がかかってしまい、ユーザビリティ上好ましいことではない。また、予め設定された所定の時間ごとに、時間情報に応じて画像情報の表示エリアを変更するようにすると、消費電力が増加してしまう。
【００３９】
そこで、画像情報（例えば待ち受け画面上の壁紙に重畳して表示される時刻に関する画像情報やカレンダーに関する画像情報など）の表示位置を、適宜、画素単位で（例えば数画素（ドット）単位で）ずらすようにする。例えばユーザにより操作キー１４が操作されることで画像情報の表示位置を変更するとの指示が受け付けられた場合に、画像情報の表示位置の変更処理に伴って、設定されている画像情報の表示位置を、画素単位で（例えば数画素（ドット）単位で）ずらすようにする。これにより、ディスプレイにおける焼き付きの発生を好適に防止することが可能となる。以下、この方法を用いた画像情報表示位置変更処理について説明する。
【００４０】
図４のフローチャートを参照して、図３の携帯電話機１における画像情報表示位置変更処理について説明する。なお、この画像情報表示位置変更処理は、ユーザにより操作キー１４が操作されることにより画像情報表示位置変更処理を開始するとの指示がなされることで、開始される。より具体的には、この画像情報表示位置変更処理の前提として、携帯電話機１の制御部４１は、待ち受け画面上に所望の壁紙を設定する壁紙設定機能を有している。制御部４１は、待ち受け画面に壁紙を設定するとの指示をユーザから受け付けると、壁紙設定画面上にてユーザの好みに応じた壁紙を待ち受け画面上に設定する。このとき、制御部４１は、壁紙設定画面上にて、待ち受け画面上の壁紙に重畳して表示される画像情報の表示位置を変更するとの指示（画像情報表示位置変更処理を開始するとの指示）を受け付けると、画像情報の表示位置を変更するための表示画面である画像情報表示位置変更画面をメインディスプレイ１７に表示させるとともに、画像情報表示位置変更処理を開始する。
【００４１】
なお、メインディスプレイ１７は有機ＥＬにより構成されるディスプレイであり、少なくともマトリクス状に配列された複数の画素（例えば２４０×４００の画素）からなる。そして、メインディスプレイ１７の表示画面上の表示位置は、複数の画素の配列に対応して２つの座標軸（Ｘ軸とＹ軸）により表される。メインディスプレイ１７の表示画面上には、画像情報を表示するための表示位置として、少なくとも１つ以上の初期表示位置（例えば図５の初期表示位置Ａ０乃至Ｅ０に示される表示画面の左上、右上、中央、左下、右上などの表示位置など）が予め設けられている。そして、予め設定された少なくとも１つ以上の初期表示位置のうちのいずれかに、この画像情報が待ち受け画面上の壁紙に重畳して表示される。
【００４２】
その後、画像情報表示位置変更処理が実行されると、現在画像情報が表示されている表示位置から、表示画面上に予め設定された複数の表示位置（例えば図５の初期表示位置Ａ０乃至Ｅ０）の中の他の表示位置に変更される。このとき、以下に説明する画像情報表示位置変更処理が実行される度に、画像情報表示位置の変更に伴い、画像情報が表示される表示位置が所定の画素単位で順次ずらされる。すなわち、画像情報は、まず、表示画面上にて予め設定されたいずれかの初期表示位置（図５の初期表示位置Ａ０乃至Ｅ０）に表示されており、画像情報表示位置変更処理が１回実行されると、画像情報が表示される表示位置が所定の画素単位でずらされる。そして、その後、像情報表示位置変更処理が実行される度に、画像情報表示位置の変更に伴い、画像情報が表示される表示位置が、現在の表示位置から所定の画素単位で順次ずらされる。
【００４３】
なお、本発明の実施形態においては、表示画面上に予め初期表示位置（図５の初期表示位置Ａ０乃至Ｅ０）として５つが設けられるようにしたが、このような場合に限られず、例えば５つ未満または６つ以上の初期表示位置が予め設けられるようにしてもよい。
【００４４】
なお、画像情報を表示する際、画像情報を表示するための２次元の広がり（表示領域）を必要とするが、一般に、例えば画像情報の表示領域が長方形として設定されている場合には各辺の長さは予め既知の値に定められている。従って、図５の初期表示位置Ａ０乃至Ｅ０などの画像情報の表示位置は、複数の画素の配列に対応して２つの座標軸（Ｘ軸とＹ軸）に従った座標を用いて、例えば画像情報の表示領域に含まれる少なくとも１点の中心位置の座標によって表される。
【００４５】
例えば図５の初期表示位置Ａ０の場合、その表示領域の中心位置の座標（５０、３２０）により示される表示位置であり、図５の表示位置Ｄ０の場合、表示領域の中心位置の座標（５０、９０）により示される表示位置である。勿論、画像情報の表示位置を明確に示すことができさえすればよく、画像情報の表示位置を中心位置以外の座標によって表すようにしてもよい。例えば画像情報の表示領域が長方形として設定されている場合には、各頂点の座標によって画像情報の表示位置を表すようにしてもよい。また、画像情報の表示領域は長方形以外の形状（例えば台形や菱形、あるいは円形や楕円形などの２次曲線などの形状）を有していてもよい。
【００４６】
ステップＳ１において、制御部４１は、ユーザにより操作キー１４が操作されることにより、壁紙設定画面上にて、待ち受け画面上の壁紙に重畳して表示される画像情報（例えば待ち受け画面上の壁紙に重畳して表示される時刻に関する画像情報やカレンダーに関する画像情報など）の表示位置を変更するとの指示（画像情報表示位置変更処理を開始するとの指示）が受け付けられたか否かを判定し、画像情報表示位置変更処理を開始するとの指示が受け付けられたと判定するまで待機する。
【００４７】
より具体的には、ユーザにより操作キー１４が操作されることにより、壁紙設定画面上に表示される「画像情報表示位置の変更」というコマンドが選択されると、制御部４１は、画像情報表示位置変更処理を開始するとの指示が受け付けられたと判定する。
【００４８】
ステップＳ１において制御部４１が、画像情報表示位置変更処理を開始するとの指示が受け付けられたと判定した場合、制御部４１はステップＳ２で、記憶部４２に予め記憶されている、画像情報が表示されるすべての初期表示位置の座標情報（例えば画像情報の表示位置を中心位置によって表す場合、画像情報の中心位置の座標に関する情報など）を読み出す。例えば図５に示される初期表示位置Ａ０乃至Ｅ０の中心位置の座標情報が記憶部４２から読み出される。
【００４９】
それとともに、制御部４１は、記憶部４２に予め記憶されている画像情報の表示位置の差分座標情報（すなわち、画像情報の表示位置を画素単位で（数ドット単位で）ずらす際に用いられる差分座標情報）を読み出す。
【００５０】
例えばこの差分座標情報には、画像情報の表示位置を画素単位でずらす際に用いられる差分座標（Δｘ、Δｙ）に関する情報が含まれている。例えば画像情報の表示位置を中心位置（および各辺の長さ）によって表す場合、この差分座標は、画像情報の中心位置を画素単位でずらす際に用いられる差分座標（Δｘ、Δｙ）である。そして、例えばこれまでにユーザにより操作キー１４が操作されることで画像情報表示位置変更処理を開始するとの指示がなされておらず、画像情報の表示位置がいまだに変更されていない場合、差分座標（Δｘ、Δｙ）は初期値（Δｘ０、Δｙ０）であり、具体的には（０、０）である。一方、例えばこれまでにユーザにより操作キー１４が操作されることで画像情報表示位置変更処理を開始するとの指示がなされており、画像情報の表示位置が少なくとも１回以上変更されている場合、後述するステップＳ７の差分座標更新処理によって差分座標（Δｘ、Δｙ）は回数に応じて（Δｘ１、Δｙ１）や（Δｘ２、Δｙ２）などに更新されており、具体的には（０、０）から回数に応じて（１、−１）や（２、−２）などに更新されている。
【００５１】
ステップＳ３において、制御部４１は、画像情報が表示されるすべての初期表示位置（例えば図５に示される初期表示位置Ａ０乃至Ｅ０）の座標情報と、表示位置を画素単位でずらす際に用いられる差分座標情報に基づいて、画像情報が表示される次の表示位置の座標を算出する。
【００５２】
例えば図５に示されるように、画像情報の初期表示位置Ａ０乃至Ｅ０のそれぞれの中心位置の座標と、差分座標（Δｘ、Δｙ）とに基づいて、図５の点線により示される各表示位置（表示位置Ａ１乃至Ｅ１や表示位置Ａ２乃至Ｅ２など）の座標が算出される。例えば図５の表示位置Ａ０の場合、中心位置の座標（５０、３２０）により示される表示位置であり、図５の表示位置Ｄ０の場合、中心位置の座標（５０、９０）により示される表示位置であるとすると、表示位置Ａ０における画像情報の次の表示位置Ａ１は、中心位置の座標（５０＋Δｘ１、３２０＋Δｙ１）により示される表示位置とされ、表示位置Ｄ０における画像情報の次の表示位置Ｄ１は、中心位置の座標（５０＋Δｘ１、９０＋Δｙ１）により示される表示位置であると算出される。より具体的には、（Δｘ１、Δｙ１）が（１、１）である場合、次の表示位置Ａ１の中心位置の座標が（５１、３１９）とされ、次の表示位置Ｄ１の中心位置の座標は（５１、８９）とされる。
【００５３】
また、例えば図５の表示位置Ａ１における画像情報の次の表示位置Ａ２は、中心位置の座標（５０＋Δｘ２、３２０＋Δｙ２）により示される表示位置とされ、表示位置Ｄ１における画像情報の次の表示位置Ｄ２は、中心位置の座標（５０＋Δｘ２、９０＋Δｙ２）により示される表示位置であると算出される。より具体的には、（Δｘ２、Δｙ２）が（２、−２）である場合、次の表示位置Ａ２の中心位置の座標が（５２、３１８）とされ、次の表示位置Ｄ２の中心位置の座標は（５２、８８）とされる。
【００５４】
次に、ステップＳ４において、制御部４１は、メインディスプレイ１７を制御し、画像情報の表示位置を変更するための画像情報表示位置変更画面を表示させる。メインディスプレイ１７は、制御部４１の制御に従い、画像情報の表示位置を変更するための画像情報表示位置変更画面を表示する。ここで、ステップＳ３の処理により画像情報が表示される次の表示位置（表示位置Ａ０乃至Ｅ０、表示位置Ａ１乃至Ｅ１や表示位置Ａ２乃至Ｅ２など）の座標が算出されており、制御部４１は、これらの表示位置（表示位置Ａ０乃至Ｅ０、表示位置Ａ１乃至Ｅ１や表示位置Ａ２乃至Ｅ２など）の座標を用いて、画像情報の表示位置として画像情報表示位置変更画面上に表示させる。具体的には、画像情報表示位置変更処理の回数に応じて、画像情報の表示位置が、予め設定された初期表示位置（図５の初期表示位置Ａ０乃至Ｅ０）から、表示位置Ａ１乃至Ｅ１、そして表示位置Ａ２乃至Ｅ２へと順次ずらされて表示される。
【００５５】
このとき、ユーザは、画像情報表示位置変更画面上にて操作キー１４のうちの例えば十字キーを操作することで、例えば図５の表示位置（表示位置Ａ０乃至Ｅ０、表示位置Ａ１乃至Ｅ１や表示位置Ａ２乃至Ｅ２など）の中のいずれかの表示位置にフォーカスをあてることができる。その後、ユーザは、操作キー１４のうちの例えば確定キーを押下することで、画像情報を表示する表示位置を、例えば図５の表示位置（表示位置Ａ０乃至Ｅ０、表示位置Ａ１乃至Ｅ１や表示位置Ａ２乃至Ｅ２など）の中のいずれかの表示位置に変更することができる。
【００５６】
ステップＳ５において、制御部４１は、ユーザにより操作キー１４が操作されることで、画像情報変更画面上に表示される複数の画像情報の表示位置（図５の場合、表示位置Ａ０乃至Ｅ０、表示位置Ａ１乃至Ｅ１や表示位置Ａ２乃至Ｅ２など）の中からいずれか１つの画像情報の表示位置の選択が受け付けられたか否かを判定し、画像情報変更画面上に表示される複数の画像情報の表示位置の中からいずれか１つの画像情報の表示位置の選択が受け付けられたと判定するまで待機する。例えば画像情報変更画面上にて、画像情報の表示位置として表示位置Ａ１乃至Ｅ１の中から表示位置Ｄ１が選択されたり、表示位置Ａ２乃至Ｅ２の中から表示位置Ｃ２が選択されたりする。
【００５７】
ステップＳ５において制御部４１は、画像情報変更画面上に表示される複数の画像情報の表示位置の中からいずれか１つの画像情報の表示位置の選択が受け付けられたと判定した場合、制御部４１はステップＳ６で、メインディスプレイ１７を制御し、選択が受け付けられた画像情報の表示位置に画像情報を表示させる。換言すれば、制御部４１は、算出された次の表示位置の中から選択が受け付けられた表示位置に基づいて、画像情報の表示位置を画素単位でずらし、画像情報の表示を更新する。
【００５８】
例えば画像情報表示位置変更処理前において、画像情報が現在表示位置Ａ１に表示されている場合、画像情報表示位置変更処理が開始されると、ステップＳ２乃至Ｓ４の処理によって画像情報が表示される次の表示位置の座標が差分座標情報（Δｘ２、Δｙ２）を用いて算出される（表示位置Ａ２乃至Ｅ２の座標が算出される）。その後、例えば画像情報変更画面上にて、画像情報の表示位置として表示位置Ａ２乃至Ｅ２の中から表示位置Ｃ２が選択されると、算出された次の表示位置（表示位置Ａ２乃至Ｅ２）の中から選択が受け付けられた表示位置Ｃ２に基づいて、表示位置Ｃ１から表示位置Ｃ２に画素単位でずらしつつ、画像情報の表示位置が画像情報表示位置変更処理前の表示位置Ａ１から表示位置Ｃ２に変更され、画像情報の表示が更新される。
【００５９】
ステップＳ７において、制御部４１は、画像情報の表示の更新後、記憶部４２に記憶されている画像情報の表示位置の差分座標情報を更新して記憶部４２に記憶させる。例えば画像情報表示位置変更処理開始時に、記憶部４２に記憶されている画像情報の表示位置の差分座標情報（Δｘ、Δｙ）が（Δｘ０、Δｙ０）である場合、ステップＳ７の差分情報更新処理によって（Δｘ１、Δｙ１）に更新される。また、処理開始時に、記憶部４２に記憶されている画像情報の表示位置の差分座標情報（Δｘ、Δｙ）が（Δｘ１、Δｙ１）である場合、ステップＳ７の差分情報更新処理によって（Δｘ２、Δｙ２）に更新される。より具体的には、差分座標（Δｘ、Δｙ）は変更処理の回数に応じて（Δｘ１、Δｙ１）や（Δｘ２、Δｙ２）、（Δｘ３、Δｙ３）…などに更新されており、例えば（０、０）から回数に応じて（１、−１）や（２、−２）、（３、−３）…などに更新される。これにより、次回の画像情報表示位置変更処理を実行する際には、記憶部４２に記憶されている画像情報の表示位置の差分座標情報として更新後のものが用いられる。
【００６０】
ステップＳ８において、制御部４１は、ユーザにより操作キー１４が操作されることにより、画像情報表示位置変更処理を終了するとの指示が受け付けられたか否かを判定し、画像情報表示位置変更処理を開始するとの指示が受け付けられたと判定するまで待機する。ステップＳ８において制御部４１が、画像情報表示位置変更処理を終了するとの指示が受け付けられたと判定した場合、画像情報表示位置変更処理は終了する。
【００６１】
本発明の実施形態においては、少なくともマトリクス状に配列された複数の画素からなり、複数の画素の配列に対応して２つの座標軸により表される、表示画面上に予め設定されている１つまたは複数の初期表示位置に画像情報を表示し、初期表示位置の座標情報と、表示位置を画素単位でずらす際に用いられる差分座標情報に基づいて、１つまたは複数の初期表示位置に対応して、メインディスプレイ１７により画像情報が表示される１つまたは複数の次の表示位置の座標を算出し、算出された１つまたは複数の次の表示位置の座標に基づいて、画像情報を、１つまたは複数の次の表示位置のいずれか１つに表示するように制御することができる。
【００６２】
これにより、次の表示位置を必要に応じて高精細に自動的に算出することができ、予め設定された表示エリア（例えば５段階などの表示エリア）にしか画像情報の表示エリアを移動させることしかできない不都合を回避することができ、ユーザビリティを向上させつつ、ディスプレイにおける焼き付きの発生を好適に防止することができる。また、画像情報の表示位置を他の表示位置に変更する場合に次の表示位置を必要に応じて算出するようにしたので、頻繁に表示位置のずらしが行われることに伴って生じる消費電力の増加を極力抑制することができる。
【００６３】
なお、本発明の実施形態においては、表示画面上に予め設定された初期表示位置（図５の表示位置Ａ０乃至Ｅ０）を基準として、逐次更新される差分座標情報を用いて、画像情報が表示される次の表示位置の座標を算出するようにしたが、このような場合に限られず、画像情報表示位置変更処理に応じて算出される画像情報の次の表示位置の座標を保持するようにしておき、固定の差分座標情報を用いて、画像情報が表示される次の表示位置の座標を算出するようにしてもよい。
【００６４】
また、画像情報の種類、すなわち、例えば待ち受け画面上の壁紙に重畳して表示される時刻に関する画像情報やカレンダーに関する画像情報などの種類に応じて、その画像情報が表示される表示領域の大きさに合うように、画像情報が表示される表示位置をずらす際に用いられる差分座標の大小を異なる値とし、座標情報として保持しておくようにしてもよい。
【００６５】
さらに、本発明の実施形態においては、図５に示されるように、予め設定された５つの初期表示位置を同一の差分座標情報を用いて平行移動させるようにしているが、このような場合に限られず、それぞれの表示位置に応じて異なる大きさの差分座標を用いて、別々に異なる方向（例えば上下左右方向のうちの異なる方向など。勿論、斜め方向などを含めるようにしてもよい）に移動させるようにしてもよい。
【００６６】
また、本発明の実施形態においては、画像情報の表示位置を他の表示位置に変更する場合に画像情報の表示を更新するようにしたが、画像情報の表示位置の変更処理に伴い、画像情報の表示位置が画素単位でずらされた後に予め設定された所定の時間（例えば１週間など）が経過した場合にも画像情報の表示を更新するようにしてもよい。勿論、この所定の時間はユーザの好みに応じて変更するようにしてもよい。
【００６７】
なお、画像情報には、例えば待ち受け画面上の壁紙に重畳して表示される時刻に関する画像情報やカレンダーに関する画像情報など以外にも、表示画面上の所定の表示領域でニュースなどを表示する場合の画像情報やアニメーションなどの画像情報なども含まれる。
【００６８】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００６９】
また、本発明の実施形態において説明した一連の処理は、ソフトウェアにより実行させることもできるが、ハードウェアにより実行させることもできる。
【００７０】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００７１】
【図１】本発明の情報処理装置に係る携帯電話機の外観の構成を示す図。
【図２】本発明の情報処理装置に係る携帯電話機の他の外観の構成を示す図。
【図３】本発明の情報処理装置に係る携帯電話機の内部の構成を示すブロック図。
【図４】図３の携帯電話機における画像情報表示位置変更処理を説明するフローチャート。
【図５】図４の画像情報表示位置変更処理に伴う表示位置の画素単位のずれを説明する説明図。
【符号の説明】
【００７２】
１…携帯電話機、１１…ヒンジ部、１２…第１の筐体、１３…第２の筐体、１４…操作キー、１５…マイクロフォン、１６…サイドキー、１７…液晶ディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…地上波ディジタルワンセグ受信部。
【図１】
0005082944.tif 000002
【図２】
0005082944.tif 000003
【図３】
0005082944.tif 000004
【図４】
0005082944.tif 000005
【図５】
0005082944.tif 000006